(57)【要約】      （修正有）【課題】Ｓ型フックをひも状（ロープ）・丸パイプ・角パイプを縦にして物を吊るすと自重などにより動きやすく、物を吊るして整理する事は出来なかった、したがって、ひも状（ロープ）等に縦に吊るしても安定して固定できるＳ型フック提供する。【解決手段】１湾曲部と逆方の２湾曲部の半円を７つなぎ部でつなぎＳ型にした両端の片方に８うねり部Ａを持つ２湾曲部２と３湾曲部３−４湾曲部４−５湾曲部５のうねり状を設け他の端の半径強の１湾曲部１からなる延長に６湾曲部６を設け先端にキャップを付け９うねり部Ｂ８を設ける、以上の固定専用部分８うねり部Ａと吊り下げ専用の９うねり部Ｂを特徴とするすべり防止型Ｓカン１５である。【選択図】図１
2011015941.tif 000002
【特許請求の範囲】
【請求項１】
湾曲部１（１）と逆方の湾曲部２（２）のつなぎ部（７）で連結した略Ｓ字形状で、湾曲部２（２）の端部に、湾曲部３（３）、湾曲部４（４）、湾曲部５（５）からなるうねり部Ａ（８）と湾曲部１（１）の端部に湾曲部６（６）からなるうねり部Ｂ（９）を設け、その湾曲部６（６）先端に１３キャップ１３を設けたことを特徴としたすべり防止型Ｓカン１５
【発明の詳細な説明】
【技術分野】
【０００１】明細書本発明は一般に使われているＳ型のフックを今までより多方面にかけられるようにし従来ロープ等に吊るすと滑りやすく・動き易かったＳ型フックを簡単に丸や角パイプや特にひも状のものに掛けても動かない・すべらない工夫した上薄い物にはクリップ状にして使えロープを張り設備を設ける時に簡単に強力に結ぶことの出来る（Ｓカン）フック関するものである。
【背景技術】
【０００２】  従来フックはＳ型で仮にもひも状や棒状のものに吊るしたい物を引っ掛けやすくするだけのものであった、ハンガーのフック等がその例でありその弱点はひも状に吊るしたときに吊るした重みで真ん中にずれてしまう事であった、そのためにひも状のものにずれない工夫をしたものもあったが、その殆どは紐をあきらめズレ防止に竿やパイプ状が横帯吊るしの主流になっていた、その為物干し竿を専門に販売する業者まで現れた。
【発明の概要】
【発明が解決しようとする課題】
【０００４】  従来フックはカギ形の壁掛け型と→Ｓ型の吊るし掛け型との２つの形をしていた、単独のＳ型のフックのときはひも状・棒状に引っ掛けることだけが使用目的だった。
（１）  壁掛け型のフックは掛ける方の台をー粘着式もあるがーねじ込み式で又くぎを必要とする場合もあった。
（２）  Ｓ型の吊るし掛けフックはひも状に吊るすと品物の重さで真ん中に寄ってしまった・
（３）  Ｓ型のフックは  棒状に吊るすと動きやすく横ずれに弱かった、できれば今まで不可能だった  ひも状・丸パイプ・角パイプにもずれない工夫が欲しかった。
（４）  薄い物にもクリップ状に取り付けられるように出来なかった。
（５）ロープの取付を簡単に出来なかった。
本発明はこれらの問題点を一つのフックで統合解決するためになされたものである。
【課題を解決するための手段】
【０００５】  本発明は湾曲部１（１）と逆方の湾曲部２（２）のつなぎ部（７）で連結した略Ｓ字形状で、湾曲部２（２）の端部に、湾曲部３（３）−湾曲部４（４）、湾曲部５（５）からなるうねり部Ａ（８）と湾曲部１（１）の端部に湾曲部６（６）からなるうねり部Ｂ（９）を設け、その湾曲部６（６）先端に１３キャップ１３を設ける、以上の固定専用部分８うねり部Ａと吊り下げ専用の９うねり部Ｂを特徴とするすべり防止型Ｓカン１５である。
いままでＳ型フックで掛けるものはパイプ状のものが主流であった。
何故なら紐状（ロープ）なら吊るす重量で真ん中によってしまっていたからである。しかしパイプ状に掛けても重量で真ん中によらなくても風等で動き易かった。
そこで本発明はその紐状とパイプ状の両面にずれない・動かない・簡単外せる機能を持たせたものである、又滑り防止型Ｓカン１５本体だけで紐やパイプだけでなく様々な掛け方が出来るようになった。
その解決のポイントは従来のＳカン型に本発明  図１のように２湾曲部に８うねり部Ａの３湾曲部・４湾曲部５湾曲部５を付けることによって解決した。
【８うねり部Ａの波型の固定専用の意義】
を以下に示す
１）  ２湾曲部２・３湾曲部３・４湾曲部４・５湾曲部５のうち・２湾曲部・３湾曲部・４湾曲部の意義は紐を巻きつけ易く最もひもを短く取る、何個もかけ易くする為に考えた本発明の方法である
図４、５湾曲部はさらに短く強固に何個もかけやすくする為に２段式にできるように利用できる図１１。
２）  紐を２湾曲部２・３湾曲部３・４湾曲部４  図３  図４に巻きつけたりすると紐からずれない特に５湾曲部５に紐を掛ける図１１の場合２湾曲部２がテコになり５湾曲部湾曲部５で持ち上がるのを引き止めるので強力である図９
３）  ８うねり部Ａの波型の５湾曲部は指で押さえ易く２湾曲部を曲げ易いその事によって２湾曲部に鋼材の弾力がつきパイプに押し付けると８うねり部Ａ・９うねり部Ｂはパイプに侠着、７つなぎで挟むので固定される、より強力に固定したい場合は５湾曲部から７つなぎにかけてゴム輪か結びをいれる図６。
【９うねり部Ｂの吊り下げ専用の意義】
を以下に示す
９うねり部Ｂは構造的には殆んど円に近く６湾曲部で曲げたあとキャップ１３を設ける。この９うねり部Ｂは吊り下げ専用のパーツなので右手に握りやすくしているだけでなく初心者にパイプ１１に間違ってかけにくいように開口を狭くした物でもある。
従来のＳカン型のフックに８うねり部Ａを付けたので従来のＳカン型フックの弱点を完全に克服しそれだけでなくフック自体の概念を変えたのが本発明である
【６極の機能について】
を以下に示す
本発明が１ひも（ロープ）からずれない、２竿−丸３角パイプからもずれない４クリップ状にすると薄物にも取り付け可能  ５本体を傷めない取り付け  ６滑り防止型結び等
６極の機能を果たす役割を持つものとして考案したものは以上の特徴から可能になる。
【発明効果】
【０００６】本発明はこれまで６つの大きな特長を挙げてきた。
１  ひも状の固定方法
２  パイプ固定法
３  角パイプ固定方
４  クリップ状の取付
５  本体を痛めない取付
６  滑り防止型結び
これら滑り防止型Ｓカン１５は従来のＳカンに８うねり部Ａ−図１それによって格段の効果が産まれる。
本発明の滑り防止型Ｓカン１５の多機能からすると従来の吊るすただその目的だけのフックとは全く比較にならない、比較しようもない。あえて比較するとしたらコストが不明ではあるがよく考えてみると従来のＳカンに小さいＲを４つ足しただけでありそれほど難しい加工でもないが従来の機能からすると飛びぬけて機能が高いのでコストが高くても需要が見込めればコストもさげらるのではないかと思う、
又本発明は８うねり部Ａと９８うねり部Ｂとでは２湾曲部と１湾曲部の間口が大きく違うその訳は従来のＳカンと違って上と下どちら掛けても同じというのでなく
８うねり部Ａはひも・パイプ等掛けられる物体専用の構造であり、クリップ状の取付のとき８うねり部Ａ湾曲部の間口を開閉し易いようにしたものでもある
９うねり部Ｂは下げる物体専用であり取り扱いように手のひらに乗るような形にしたものである、そして間違って９うねり部Ｂの方をひも・パイプ等掛けないように間口を狭くしたのである。
１  ひも状の固定方法の特徴
は長いロープに均等に吊れるので何本もロープを引いたら宙吊の整理だなもできる。パイプより運搬経費とスペースが少なくてすむ
ロープは目いっぱい張る必要はないゆるく張ってもずれることはないし、滑り防止型Ｓカン１５が増えてきたら次第にロープも張ってくるからだが図１１のように５湾曲部と２湾曲部の間に掛けるとロープをあまり取らない。
ひも状の固定方法が各固定法では一番優れておりメインのメリットである。
その特長は縦吊ができることである。
２  パイプ固定法の特徴
通常の固定では洋服程度であり限定されるが強度をもたせる為には図６のように１２むすびを入れるといい
３  角パイプ固定方の特徴
通常の固定では洋服か洗濯ものであり限定されるが強度をもたせる為には図８のように１２むすびを入れるといい
４  クリップ状の取付の特徴
小物を掛けるのにいい使い方で車ではドア上の握り取ってフロントのひさしキッチンではキッチン台の上の戸袋や網棚などに取り付けられる。図１７
また図１８のように立て板に滑り防止型Ｓカン１５を取り付けたときつなぎ７と板２１の間がメモクリップ風になり紙が挟める図１８。
５  本体を痛めない取付の特徴
滑り防止型Ｓカン１５に吸盤をダブルで取り付けると強力である図１５
又カーテンレール１９に取り付けると２重の場合奥レールにＲ５を架け手前のカーテンは動かせる（しかし端の方がいい）
６  すべり防止型結びの特徴
図１２ロープ（ひも１０）は片方にむすび付けられてももう片方がうまく取付られるとこがない、うまく結べないという時片方のロープ（ひも１０）の先をパイプ１１等に掛けまわし、途中で輪にしてむすんだひもに滑り防止型Ｓカン１５のＡ帯８を通して手前に引いて伸ばしその状態で反対側の張ったひも１０に絡ませるとスッキリと止められる図１４
以上の構成を特徴として、今までにない未来志向の滑防止型Ｓカンを創造するものであり社会に提供するものである。
【図面の簡単な説明】
【０００７】
【図１】正面図
【図２】右側面図
【図３】１０ひもに１５滑り防止型ＳカンのＲ１を掛ける
【図４】１０ひもに  Ｒ２からＲ４に緩やかに紐（ロープ）を掛ける方法
【図５】１１丸パイプにＲ２の弾力で固定する方法
【図６】１１丸パイプに強力に１２むすびで固定する方法
【図７】１１丸パイプに通常掛ける方法
【図８】角パイプに固定する方法
【図９】縦ロープ（１０ひも）の固定方法
【図１０】本発明は１湾曲部と逆方の２湾曲部の半円を７つなぎ部でつなぎＳ型にした両端の片方に８うねり部Ａを持つ２湾曲部２と３湾曲部３−４湾曲部４−５湾曲部５のうねり状を設け  他の端にの半径強の１湾曲部１からなる延長に６湾曲部６を設け先端に１３キャップ１３を付け９うねり部Ｂ８を設ける、以上の固定専用部分８うねり部Ａと吊り下げ専用の９うねり部Ｂを特徴とするすべり防止型Ｓカン１５である。に１５滑り防止型Ｓカンの取り付け方
【図１１】２湾曲部と５湾曲部との固定（１０ひもが目一杯張っている時ひもを取らないの方法）
【図１２】１０ひもの１１パイプに掛けて１６ひもの輪を造る掛け方
【図１３】１６ひもの輪に１５滑り防止型ＳカンのＡ帯８をとうし手１０ひもに絡める方法
【図１４】は図１２  図１３の滑り防止型結びの完成図
【図１５】ダブル吸盤の掛け方
【図１６】カーテンレールの掛け方
【図１７】クロス網の掛け方
【図１８】立て板の掛け方
【図１９】９うねり部Ｂの部分がＲ２２の様に極小の引っ掛け部分型。
【図２０】滑り防止Ｓカン１５製造器斜視図
【図２１】滑り防止Ｓカン１５平面図
【図２２】正面図
【図２３】右側面図
【図２４】左側面図
【図２５】底面図
【図２６】滑り防止Ｓカン１５の製造形取り
【図２７】ハリガネ３８を加工する状態
【発明を実施するための形態】
【０００８】固定機能の説明を以下に示す。
１  ひも状の固定方法
２湾曲部〜４湾曲部の波型は図および図４に示すように使うと一回転で簡単にロープ（紐）に巻きつけることが出来るので動かずいズレない事が可能となる、この巻きつけるという方法をフックの波型のうねりで解決したのはロープ（紐）を最も短くとる（数多く掛け易くするために）方法として最適の本発明の方法である、しかも勾配のあるロープでは２湾曲部の部分が吊るす重力でテコになり４湾曲部又は５湾曲部で持ち上がるひも１０を引き止めるので強力である図９図１０を参照。滑り防止型Ｓカン１５はロープ（紐）のひねり目に巻きつけを穏やかに固定出来る。図４参照
２  パイプ固定方法を以下に示す
２湾曲部の半円の狭着力の支えとしての７つなぎと８うねり部Ａとの間によってパイプの円を挟みつける機能
図５  図６  図５は・５湾曲部を指で押さえることで２湾曲部の円が狭くなり挟着力を増すことでパイプに固定できる、ここで３湾曲部から４湾曲部・５湾曲部の間の中で８うねり部Ａと７つなぎがパイプを押さえる点となり４湾曲部との間でロックされる図５固定強化のためにはむすび１２を付けるといい図６
３  角パイプ固定方法を以下に示す
図８角パイプは方法的には丸パイプの逆方向に広げることで１００ミリ程のパイプにも掛けられる、４湾曲部と５湾曲部の角とつなぎ７の支えで固定するが強度を持たせるときは３湾曲部と７つなぎとの間に１２むすびを入れるといい
４  クリップ状の取付方法を以下に示す
押さえることにより図１８のように８うねり部Ａ（・３湾曲部・４湾曲部５湾曲部）を押さえ２湾曲部を狭くする事によって薄いものに狭着させ固定させることにより押さえとしての機能をはたす。
支えとしての機能を果すには、この場合５湾曲部は支えとして機能し図１７のように網等にはフラフラしない支えとして機能する、また同じく図１６のようにカーテンレール１９にも取付可能である図１６．
５  本体を痛めない取付方法を以下に示す。
図１５  吸盤２０をダブルで付けると強力にできる
図１６  カーテンレールに付けるとカーテンも動かせる
６  滑り防止型結びを以下に示す。
図１２  ひも１０を張る場合片方の引っ掛けに結び付ける場合パイプ１１等に掛けてひも１０の先にひもの輪１６をつくる
図１３  ひもの輪に１５滑り防止ＳカンのＡ帯８を通してひも１０に絡ませるとガッチリ止められる（ひものひねり目がＡ帯８に絡むため』。
図１４  ひも１０にガッチリ止められた滑り防止型Ｓカン１５
図の滑り防止型Ｓカン１５によってロープ（ひも１０）を早く簡単に固定できるようになるそしてチョットしたものを掛けられる。
これによって室内・室外に容易にロープが張りやすくなりそれどころかいままで考えられなかった縦吊・ストライプ吊が可能になる。
これによってエクステリア・インテリアなどの吊り下げ整理棚やはち花が今まで一本吊しかできなかったことがストライプに一本のロープ何個も掛けられるようになる
今まで出来なかった紐掛けの実施例
【実施例】
【図３】
【図４】
【図９】
【図１０】
【図１１】
今まで出来なかった丸パイプ掛けの実施例
【実施例】
【図５】
【図６】
【図７】
今まで出来なかった角パイプ掛けの実施例
【実施例】
【図８】
今まで出来なかったクリップ掛けの実施例
【実施例】
【図１７】
【図１８】
今まで出来なかったパイプ掛けの実施例
【実施例図４】
＝
【図１２】
と同じＲ１のパイプ掛け
今まで出来なかった滑り防止型結びの実施例
【実施例】
【図１２】
【図１３】
【図１４】
今まで出来なかった本体を痛めない取付の実施例
【実施例】
【図１５】
【図１６】
【滑り防止型Ｓカン１５の簡単製造器３７の説明】
３７製造器は滑り防止型Ｓカン１５の製造法に関する説明である。
滑り防止型Ｓカン１５の製造器３７は図２７は７つの円状の柱と５つの中間から成っている。
７つの円状
２４ＲＡ筒
２６ＲＣ
２７ＲＤ
２８ＲＥ
２９ＲＦ
３０ＲＧ
５つの中間
３１ａ間
３２ｂ間
３３ｃ間
３４ｄ間
３５ｅ間
３６ｆ間
３８ハリガネ（全長２８０〜３００ミリ位）を３７製造器でＳカン１５を製造する場合
以下の順番で３８ハリガネを曲げる
１  ｂ間３２で３７ハリガネの全長の約４分の１位残し挟み込みあと４分の３は向かって右側ＲＢ筒２５にそって曲げａ間３１を通りＲＡ筒２４に沿って曲げｅ間３５を通りｆ間３６を通してＲＦ２９で曲げる、
２  向かって左方残された約４分の１でＲＣ２６にそって曲げｃ間３３からＲＤ２７に沿ってｄ間３４を通りＲＥ２８に沿って曲げてｄ間３４との間に間隔を造る。
３  ＲＤ２７の高さとＡ間３１のＲＡ筒２４とＲＢ筒２５の局点で勾配がありＥ間３５のＲＦ２９の高さはほぼ同一である
４  ３７製造器の台の４すみに穴２３を付ける
以上の構成をもって滑り防止型Ｓカン１５をつくる製造器３７の構造である。
【符号の説明】
【０００９】１  湾曲部１
２  湾曲部２
３  湾曲部３
４  湾曲部４
５  湾曲部５
６  湾曲部６
７  つなぎ
８  うねり部Ａ
９  うねり部Ｂ
１０ひも
１１丸パイプ
１２むすび
１３キャップ
１４角パイプ
１５滑り防止型Ｓカン
１６ひもの輪
１７側面空きペットポトル
１８カーテン
１９カーテンレール
２０吸盤
２１板
２２Ｒ２２
２３穴
２４ＲＡ筒
２５ＲＢ筒
２６ＲＣ
２７ＲＤ
２８ＲＥ
２９ＲＦ
３０ＲＧ７
３１ａ間
３２ｂ間
３３ｃ間
３４ｄ間
３５ｅ間
３６ｆ間
３７製造器
３８ハリガネ
【図１】
2011015941.tif 000003
【図２】
2011015941.tif 000004
【図３】
2011015941.tif 000005
【図４】
2011015941.tif 000006
【図５】
2011015941.tif 000007
【図６】
2011015941.tif 000008
【図７】
2011015941.tif 000009
【図８】
2011015941.tif 000010
【図９】
2011015941.tif 000011
【図１０】
2011015941.tif 000012
【図１１】
2011015941.tif 000013
【図１２】
2011015941.tif 000014
【図１３】
2011015941.tif 000015
【図１４】
2011015941.tif 000016
【図１５】
2011015941.tif 000017
【図１６】
2011015941.tif 000018
【図１７】
2011015941.tif 000019
【図１８】
2011015941.tif 000020
【図１９】
2011015941.tif 000021
【図２０】
2011015941.tif 000022
【図２１】
2011015941.tif 000023
【図２２】
2011015941.tif 000024
【図２３】
2011015941.tif 000025
【図２４】
2011015941.tif 000026
【図２５】
2011015941.tif 000027
【図２６】
2011015941.tif 000028
【図２７】
2011015941.tif 000029